(57)【要約】【課題】互いに異なる規格のネットワーク網にまたがってＯＡＭフレームを送受信した場合であっても適切にネットワークの保守運用をすることができるネットワーク中継機器、ネットワーク、及びネットワーク保守運用方法を提供する。【解決手段】ネットワーク中継機器１は、ネットワークを構成するネットワーク中継機器１であって、ネットワークとは異なる規格の他のネットワークを構成する外部のネットワーク中継機器からのフレームに含まれるプロトコル識別子を参照し、フレームがネットワークの運用、管理、又は保守用の確認フレームを含むか否かを判定するフレーム判定部２０と、フレーム判定部２０が、フレームが確認フレームであると判定した場合に、フレームに運用、管理、又は保守の処理を施す処理部とを備える。を備える。【選択図】図１
2010263373.tif 000002
【特許請求の範囲】
【請求項１】
ネットワークを構成するネットワーク中継機器であって、
前記ネットワークとは異なる規格の他のネットワークを構成する外部のネットワーク中継機器からのフレームに含まれるプロトコル識別子を参照し、前記フレームがネットワークの運用、管理、又は保守用の確認フレームを含むか否かを判定するフレーム判定部と、
前記フレーム判定部が、前記フレームが前記確認フレームであると判定した場合に、前記フレームに運用、管理、又は保守の処理を施す処理部と
を備えるネットワーク中継機器。
【請求項２】
前記ネットワークは、ＩＥＥＥ８０２．１ａｈの規格によるネットワークであり、
前記他のネットワークは、ＩＥＥＥ８０２．１ａｄの規格によるネットワークであり、
前記プロトコル識別子は、イーサタイプであり、
前記確認フレームは、イーサネット（登録商標）ＯＡＭフレームであり、
前記フレーム判定部は、前記イーサタイプを参照し、前記フレームが前記イーサネット（登録商標）ＯＡＭフレームを含むか否かを判定すると共に、前記フレームが当該ネットワーク中継機器宛てであるか否かを判定し、
前記処理部は、前記フレーム判定部が、前記フレームが前記イーサネット（登録商標）ＯＡＭフレームであり、かつ、当該ネットワーク中継機器宛てであると判定した場合に、イーサネット（登録商標）ＯＡＭの機能に基づいて、前記フレームに前記運用、前記管理、又は前記保守の処理を施す請求項１に記載のネットワーク中継機器。
【請求項３】
前記外部のネットワーク中継機器からの前記フレームを受信するポートを有する送受信部
を更に備え、
前記処理部は、前記処理が施されたフレームを、前記外部のネットワーク中継機器からの前記フレームを受信した前記ポートから返信する請求項２に記載のネットワーク中継機器。
【請求項４】
第１ネットワークを構成する第１のネットワーク中継機器と、前記第１ネットワークとは異なる規格の第２ネットワークを構成する第２のネットワーク中継機器と、前記第１ネットワークと前記第２ネットワークとの境界に設けられる第３のネットワーク中継機器とを備えるネットワークであって、
前記第１のネットワーク中継機器は、前記第２のネットワーク中継機器に宛ててネットワークの運用、管理、又は保守用の確認フレームを送信し、
前記第３のネットワーク中継機器は、前記確認フレームをカプセル化してカプセル化確認フレームを生成した後、前記カプセル化確認フレームを前記第２ネットワークに中継し、
前記第２のネットワーク中継機器は、
前記カプセル化確認フレームを受信する送受信部と、
前記送受信部が受信した前記カプセル化確認フレームのプロトコル識別子を参照し、前記カプセル化確認フレームが前記確認フレームを含むか否かを判定するフレーム判定部と、
前記フレーム判定部が、前記カプセル化確認フレームが前記確認フレームであると判定した場合に、前記カプセル化確認フレームに運用、管理、又は保守の処理を施して、返信用のカプセル化応答フレームに変換する処理部と、
前記カプセル化応答フレームを前記第１のネットワーク中継機器に宛てて転送する転送処理部とを有するネットワーク。
【請求項５】
前記第１ネットワークは、ＩＥＥＥ８０２．１ａｄの規格によるネットワークであり、
前記第２ネットワークは、ＩＥＥＥ８０２．１ａｈの規格によるネットワークであり、
前記プロトコル識別子は、イーサタイプであり、
前記確認フレームは、イーサネット（登録商標）ＯＡＭフレームであり、
前記フレーム判定部は、前記カプセル化確認フレームの前記イーサタイプを参照し、前記カプセル化確認フレームが前記イーサネット（登録商標）ＯＡＭフレームを含むか否かを判定すると共に、前記カプセル化確認フレームが前記第２のネットワーク中継機器宛てであるか否かを判定し、
前記フレーム判定部が、前記カプセル化確認フレームがカプセル化された前記イーサネット（登録商標）ＯＡＭフレームであり、かつ、第２のネットワーク中継機器宛てであると判定した場合に、イーサネット（登録商標）ＯＡＭの機能に基づいて、前記カプセル化確認フレームに前記運用、前記管理、又は前記保守の処理を施す請求項４に記載のネットワーク。
【請求項６】
第１ネットワークを構成する第１のネットワーク中継機器と、前記第１ネットワークとは異なる規格の第２ネットワークを構成する第２のネットワーク中継機器と、前記第１ネットワークと前記第２ネットワークとの境界に設けられる第３のネットワーク中継機器とを備えるネットワークのネットワーク保守運用方法であって、
前記第１のネットワーク中継機器が、前記第２のネットワーク中継機器に宛ててネットワークの運用、管理、又は保守用の確認フレームを送信する送信段階と、
前記第３のネットワーク中継機器が、前記確認フレームをカプセル化してカプセル化確認フレームを生成した後、前記カプセル化確認フレームを前記第２ネットワークに中継する中継段階と、
前記第２のネットワーク中継機器が、前記カプセル化確認フレームを受信する受信段階と、
前記第２のネットワーク中継機器が、受信した前記カプセル化確認フレームのプロトコル識別子を参照し、前記カプセル化確認フレームが前記確認フレームを含むか否かを判定する判定段階と、
前記第２のネットワーク中継機器が、前記カプセル化確認フレームが前記確認フレームであると判定した場合に、前記カプセル化確認フレームに運用、管理、又は保守の処理を施して、返信用のカプセル化応答フレームに変換する変換段階と、
前記第２のネットワーク中継機器が、前記カプセル化応答フレームを前記第１のネットワーク中継機器に宛てて転送する転送段階と
を備えるネットワーク保守運用方法。
【請求項７】
前記第１ネットワークは、ＩＥＥＥ８０２．１ａｄの規格によるネットワークであり、
前記第２ネットワークは、ＩＥＥＥ８０２．１ａｈの規格によるネットワークであり、
前記プロトコル識別子は、イーサタイプであり、
前記確認フレームは、イーサネット（登録商標）ＯＡＭフレームであり、
前記判定段階は、前記カプセル化確認フレームの前記イーサタイプを参照し、前記カプセル化確認フレームが前記イーサネット（登録商標）ＯＡＭフレームを含むか否かを判定すると共に、前記カプセル化確認フレームが前記第２のネットワーク中継機器宛てであるか否かを判定し、
前記変換段階は、前記判定段階において前記カプセル化確認フレームがカプセル化された前記イーサネット（登録商標）ＯＡＭフレームであり、かつ、第２のネットワーク中継機器宛てであると判定された場合に、イーサネット（登録商標）ＯＡＭの機能に基づいて、前記カプセル化確認フレームに前記運用、前記管理、又は前記保守の処理を施す請求項６に記載のネットワーク保守運用方法。
【発明の詳細な説明】
【技術分野】
【０００１】
本発明は、ネットワーク中継機器、ネットワーク、及びネットワーク保守運用方法に関する。特に、本発明は、イーサネット（登録商標）ＯＡＭを用いるネットワーク中継機器、ネットワーク、及びネットワーク保守運用方法に関する。
【背景技術】
【０００２】
Ｌｏｃａｌ  Ａｒｅａ  Ｎｅｔｗｏｒｋ（ＬＡＮ）の技術として開発されたイーサネット（登録商標）は、広域ネットワークにも応用されている。広域ネットワークにおいては、通信の安定性が要求されるものの、従来のイーサネット（登録商標）にはネットワークの保守運用の機能がほとんど準備されていない。そこで、ＩＴＵ−Ｔ  Ｙ．１７３１及びＩＥＥＥ８０２．１ａｇにより、イーサネット（登録商標）Ｏｐｅｒａｔｉｏｎ  Ａｄｍｉｎｉｓｔｒａｔｉｏｎ  ａｎｄ  Ｍａｉｎｔｅｎａｎｃｅ（ＯＡＭ）の機能が規格化されている。
【０００３】
また、高い信頼性を有すると共に大規模なネットワークをイーサネット（登録商標）により提供する方式として、ＭＡＣ−ｉｎ−ＭＡＣと呼ばれるカプセル化方式を用いる技術がＩＥＥＥ８０２．１ａｈにより標準化されている。ＩＥＥＥ８０２．１ａｈによるＰｒｏｖｉｄｅｒ  Ｂａｃｋｂｏｎｅ  Ｂｒｉｄｇｉｎｇ（ＰＢＢ）網は、ＩＥＥＥ８０２．１ａｄによるＰｒｏｖｉｄｅｒ  Ｂｒｉｄｇｉｎｇ  （ＰＢ）網を束ねる上位網としてのバックボーン網である。ＰＢＢ網はＰＢ網に比べて規模が大きいネットワークでの利用に適している。
【０００４】
従来、２つの通信装置間でネットワークを介して保守ドメインレベルを含むイーサネット（登録商標）ＯＡＭフレームを送受信することによりネットワークを運用保守管理する保守ドメインレベル管理方法であって、第１の通信装置が、ネットワークを介して第２の通信装置へ送信すべきイーサネット（登録商標）ＯＡＭフレームに対して、外側ＯＡＭヘッダを更に付加して送信する段階と、ネットワークに接続された通信装置が、外側ＯＡＭヘッダに含まれる保守ドメインレベルに基づいて運用保守管理をする段階と、第２の通信装置が、第１の通信装置から受信したＯＡＭフレームについて、外側ＯＡＭヘッダを除去して送信する段階とを備える保守ドメインレベル管理方法が知られている（例えば、特許文献１参照。）。
【０００５】
特許文献１に記載の保守ドメインレベル管理方法によれば、上記構成を備えるので、イーサネット（登録商標）ＯＡＭフレームを用いて、ネットワーク内で多数の保守ドメインによる運用保守管理ができる。
【先行技術文献】
【特許文献】
【０００６】
【特許文献１】特開２００８−１６７３３１号公報
【発明の概要】
【発明が解決しようとする課題】
【０００７】
しかし、特許文献１に記載の保守ドメインレベル管理方法では、互いに異なる規格のネットワーク網にまたがってイーサネット（登録商標）のＯＡＭフレームを送受信する場合には、ネットワークに接続されている所定のネットワーク中継機器は異なる規格のネットワークに接続されているネットワーク中継機器から送信されたＯＡＭフレームをＯＡＭフレームとして判定できずに中継又は廃棄してしまうので、適切にネットワークの保守運用をすることができない。
【０００８】
したがって、本発明の目的は、互いに異なる規格のネットワーク網にまたがってＯＡＭフレームを送受信した場合であっても適切にネットワークの保守運用をすることができるネットワーク中継機器、ネットワーク、及びネットワーク保守運用方法を提供することにある。
【課題を解決するための手段】
【０００９】
本発明は、上記目的を達成するため、ネットワークを構成するネットワーク中継機器であって、ネットワークとは異なる規格の他のネットワークを構成する外部のネットワーク中継機器からのフレームに含まれるプロトコル識別子を参照し、フレームがネットワークの運用、管理、又は保守用の確認フレームを含むか否かを判定するフレーム判定部と、フレーム判定部が、フレームが確認フレームであると判定した場合に、フレームに運用、管理、又は保守の処理を施す処理部とを備えるネットワーク中継機器が提供される。
【００１０】
また、上記ネットワーク中継機器は、ネットワークは、ＩＥＥＥ８０２．１ａｈの規格によるネットワークであり、他のネットワークは、ＩＥＥＥ８０２．１ａｄの規格によるネットワークであり、プロトコル識別子は、イーサタイプであり、確認フレームは、イーサネット（登録商標）ＯＡＭフレームであり、フレーム判定部は、イーサタイプを参照し、フレームがイーサネット（登録商標）ＯＡＭフレームを含むか否かを判定すると共に、フレームが当該ネットワーク中継機器宛てであるか否かを判定し、処理部は、フレーム判定部が、フレームがイーサネット（登録商標）ＯＡＭフレームであり、かつ、当該ネットワーク中継機器宛てであると判定した場合に、イーサネット（登録商標）ＯＡＭの機能に基づいて、フレームに運用、管理、又は保守の処理を施すこともできる。
【００１１】
また、上記ネットワーク中継機器は、外部のネットワーク中継機器からのフレームを受信するポートを有する送受信部を更に備え、処理部は、処理が施されたフレームを、外部のネットワーク中継機器からのフレームを受信したポートから返信することもできる。
【００１２】
また、本発明は上記目的を達成するため、第１ネットワークを構成する第１のネットワーク中継機器と、第１ネットワークとは異なる規格の第２ネットワークを構成する第２のネットワーク中継機器と、第１ネットワークと第２ネットワークとの境界に設けられる第３のネットワーク中継機器とを備えるネットワークであって、第１のネットワーク中継機器は、第２のネットワーク中継機器に宛ててネットワークの運用、管理、又は保守用の確認フレームを送信し、第３のネットワーク中継機器は、確認フレームをカプセル化してカプセル化確認フレームを生成した後、カプセル化確認フレームを第２ネットワークに中継し、第２のネットワーク中継機器は、カプセル化確認フレームを受信する送受信部と、送受信部が受信したカプセル化確認フレームのプロトコル識別子を参照し、カプセル化確認フレームが確認フレームを含むか否かを判定するフレーム判定部と、フレーム判定部が、カプセル化確認フレームが確認フレームであると判定した場合に、カプセル化確認フレームに運用、管理、又は保守の処理を施して、返信用のカプセル化応答フレームに変換する処理部と、カプセル化応答フレームを第１のネットワーク中継機器に宛てて転送する転送処理部とを有するネットワークが提供される。
【００１３】
また、上記ネットワークは、第１ネットワークは、ＩＥＥＥ８０２．１ａｄの規格によるネットワークであり、第２ネットワークは、ＩＥＥＥ８０２．１ａｈの規格によるネットワークであり、プロトコル識別子は、イーサタイプであり、確認フレームは、イーサネット（登録商標）ＯＡＭフレームであり、フレーム判定部は、カプセル化確認フレームのイーサタイプを参照し、カプセル化確認フレームがイーサネット（登録商標）ＯＡＭフレームを含むか否かを判定すると共に、カプセル化確認フレームが第２のネットワーク中継機器宛てであるか否かを判定し、フレーム判定部が、カプセル化確認フレームがカプセル化されたイーサネット（登録商標）ＯＡＭフレームであり、かつ、第２のネットワーク中継機器宛てであると判定した場合に、イーサネット（登録商標）ＯＡＭの機能に基づいて、カプセル化確認フレームに運用、管理、又は保守の処理を施すこともできる。
【００１４】
また、本発明は上記目的を達成するため、第１ネットワークを構成する第１のネットワーク中継機器と、第１ネットワークとは異なる規格の第２ネットワークを構成する第２のネットワーク中継機器と、第１ネットワークと第２ネットワークとの境界に設けられる第３のネットワーク中継機器とを備えるネットワークのネットワーク保守運用方法であって、第１のネットワーク中継機器が、第２のネットワーク中継機器に宛ててネットワークの運用、管理、又は保守用の確認フレームを送信する送信段階と、第３のネットワーク中継機器が、確認フレームをカプセル化してカプセル化確認フレームを生成した後、カプセル化確認フレームを第２ネットワークに中継する中継段階と、第２のネットワーク中継機器が、カプセル化確認フレームを受信する受信段階と、第２のネットワーク中継機器が、受信したカプセル化確認フレームのプロトコル識別子を参照し、カプセル化確認フレームが確認フレームを含むか否かを判定する判定段階と、第２のネットワーク中継機器が、カプセル化確認フレームが確認フレームであると判定した場合に、カプセル化確認フレームに運用、管理、又は保守の処理を施して、返信用のカプセル化応答フレームに変換する変換段階と、第２のネットワーク中継機器が、カプセル化応答フレームを第１のネットワーク中継機器に宛てて転送する転送段階とを備えるネットワーク保守運用方法が提供される。
【００１５】
また、上記ネットワーク保守運用方法は、第１ネットワークは、ＩＥＥＥ８０２．１ａｄの規格によるネットワークであり、第２ネットワークは、ＩＥＥＥ８０２．１ａｈの規格によるネットワークであり、プロトコル識別子は、イーサタイプであり、確認フレームは、イーサネット（登録商標）ＯＡＭフレームであり、判定段階は、カプセル化確認フレームのイーサタイプを参照し、カプセル化確認フレームがイーサネット（登録商標）ＯＡＭフレームを含むか否かを判定すると共に、カプセル化確認フレームが第２のネットワーク中継機器宛てであるか否かを判定し、変換段階は、判定段階においてカプセル化確認フレームがカプセル化されたイーサネット（登録商標）ＯＡＭフレームであり、かつ、第２のネットワーク中継機器宛てであると判定された場合に、イーサネット（登録商標）ＯＡＭの機能に基づいて、カプセル化確認フレームに運用、管理、又は保守の処理を施すこともできる。
【発明の効果】
【００１６】
本発明に係るネットワーク中継機器、ネットワーク、及びネットワーク保守運用方法によれば、互いに異なる規格のネットワーク網にまたがってＯＡＭフレームを送受信した場合であっても適切にネットワークの保守運用をすることができるネットワーク中継機器、ネットワーク、及びネットワーク保守運用方法を提供できる。
【図面の簡単な説明】
【００１７】
【図１】本発明の実施の形態に係るネットワーク中継機器の機能構成のブロック図である。
【図２】イーサネット（登録商標）ＯＡＭフレームのフレーム形式である。
【図３】ＩＥＥＥ８０２．１ａｄのフレーム形式である。
【図４】ＩＥＥＥ８０２．１ａｈのフレーム形式である。
【図５】本発明の本実施の形態に係るイーサネット（登録商標）ＯＡＭの機能を説明するネットワークの概要図である。
【図６】ＩＥＥＥ８０２．１ａｈ網の構成の概要図である。
【図７】本発明の実施の形態に係るネットワークの概要図である。
【図８Ａ】本実施の形態に係るネットワーク保守運用方法の流れを示す図である。
【図８Ｂ】本実施の形態に係るネットワーク保守運用方法の流れを示す図である。
【図９】比較例に係るネットワークの概要図である。
【発明を実施するための形態】
【００１８】
［実施の形態］
図１は、本発明の実施の形態に係るネットワーク中継機器の機能構成のブロック図を示す。
【００１９】
本実施の形態に係るネットワーク中継機器１は、フレーム等の情報を送受信する送受信部１０と、送受信部１０が受信した情報を参照して、当該情報に所定の情報が含まれ、当該ネットワーク中継機器１宛ての情報であるか否かを判定するフレーム判定部２０と、フレーム判定部２０の判定結果に基づいて当該情報に所定の処理を施すＯＡＭ処理部３０と、当該情報を他のネットワーク中継機器宛てに転送する転送処理部４０と、当該情報を受信したポート（すなわち、受信ポート）と送信元アドレスとを格納するＦＤＢ（Ｆｏｒｗａｒｄｉｎｇ  Ｄａｔａｂｓｅ）５０と、フレーム判定部２０等の動作を制御する中央制御部６０とを備える。
【００２０】
本実施の形態に係るネットワーク中継機器１は、一例として、ＩＥＥＥ８０２．１ａｈのネットワークを構成するネットワーク中継機器であって、当該ネットワークとは異なる規格であるＩＥＥＥ８０２．１ａｄの他のネットワークを構成する外部のネットワーク中継機器からのネットワークの運用、管理、又は保守用の確認フレームとしてのイーサネット（登録商標）ＯＡＭフレームを用いて保守運用されるネットワーク中継機器（例えば、スイッチングハブ）である。
【００２１】
まず、本実施の形態において取り扱う情報について説明する。
【００２２】
図２は、イーサネット（登録商標）ＯＡＭフレームのフレーム形式を示し、図３は、ＩＥＥＥ８０２．１ａｄのフレーム形式を示し、更に図４は、ＩＥＥＥ８０２．１ａｈのフレーム形式を示す。
【００２３】
図２を参照すると、イーサネット（登録商標）ＯＡＭフレームは、宛先ＭＡＣアドレス（Ｄｅｓｔｉｎａｔｉｏｎ  Ａｄｄｒｅｓｓ（ＤＡ）  ＭＡＣアドレス）と、送信元ＭＡＣアドレス（Ｓｏｕｒｃｅ  Ａｄｄｒｅｓｓ（ＳＡ）  ＭＡＣアドレス）と、ＶＬＡＮタグ（ＶＬＡＮ  ＴＡＧ）と、イーサネット（登録商標）ＯＡＭを示す識別子が格納されるイーサタイプ（ＥｔｈｅｒＴｙｐｅ）と、保守ドメイン（Ｍａｉｎｔｅｎａｎｃｅ  Ｄｏｍａｉｎ（ＭＤ））レベル・バージョン（ＭＤ  Ｌｅｖｅｌ＋ｖｅｒｓｉｏｎ）と、オペレーションコード（ＯＰ  ｃｏｄｅ）と、フラグ（Ｆｌａｇｓ）と、ＴＬＶ（Ｔｙｐｅ／Ｌｅｎｇｔｈ／Ｖａｌｕｅ）オフセット（ＴＬＦ  ｏｆｆｓｅｔ）と、ＴＬＶと、エンドＴＬＶ（ＥＮＤ  ＴＬＶ）と、ＦＣＳ（Ｆｒａｍｅ  Ｃｈｅｃｋ  Ｓｅｑｕｅｎｃｅ）との各領域を備える。
【００２４】
図３を参照すると、ＩＥＥＥ８０２．１ａｄのフレーム形式は、宛先ＭＡＣアドレス（ＤＡ  ＭＡＣアドレス）と、送信元ＭＡＣアドレス（ＳＡ  ＭＡＣアドレス）と、ＶＬＡＮタグ（ＶＬＡＮ  ＴＡＧ）と、イーサタイプ（ＥｔｈｅｒＴｙｐｅ）と、データ（Ｄａｔａ）と、ＦＣＳ（Ｆｒａｍｅ  Ｃｈｅｃｋ  Ｓｅｑｕｅｎｃｅ）との各領域を備える。
【００２５】
また、図４を参照すると、ＩＥＥＥ８０２．１ａｈのフレーム形式は、ＩＥＥＥ８０２．１ａｄのフレーム形式に、宛先Ｂ−ＭＡＣアドレス（ＤＡ  Ｂ−ＭＡＣ）と、送信元Ｂ−ＭＡＣアドレスと、Ｂ−ＴＡＧと、Ｉ−ＴＡＧ（ＤＡ  ＭＡＣアドレスとＳＡ  ＭＡＣアドレスとに６Ｂの拡張タグを付加した領域）との各領域を付加した形式である。なお、Ｂ−ＴＡＧを備えずにＩ−ＴＡＧのみのフレーム形式にすることもできる。
【００２６】
以下、図１を参照して、本実施の形態に係るネットワーク中継機器１の構成について説明する。
【００２７】
（送受信部１０）
送受信部１０は、イーサネット（登録商標）用のケーブルである伝送路７０が接続されるポート１００を有する。送受信部１０は複数のポートを備えており、各ポートにはそれぞれ伝送路が接続される。例えば、ポート１００ｎには伝送路７０ｎが接続される（ただし、ｎは正の整数）。送受信部１０は、ポート１００が受信した情報であるフレームをフレーム判定部２０に供給する。なお、当該フレームは、外部のネットワーク中継機器から送信されたフレームである。
【００２８】
また、送受信部１０は、後述するＯＡＭ処理部３０から所定のポートに宛てて供給されるフレームを、当該所定のポートから所定の外部のネットワーク中継機器に対して送信する。更に、送受信部１０は、後述する転送処理部４０から所定のポートに宛てて供給されるフレームを、当該所定のポートから所定の外部のネットワーク中継機器に対して送信する。
【００２９】
（ＦＤＢ５０）
ＦＤＢ５０は、フレームを受信したポートを識別するポート識別子と当該フレームの送信元アドレス（例えば、ＭＡＣアドレス）とを格納する。ＦＤＢ５０は、ＶＬＡＮ−ＩＤを、ポート識別子及びＭＡＣアドレスと共に格納することもできる。
【００３０】
（フレーム判定部２０）
フレーム判定部２０は、送受信部１０から受け取ったフレームの内容を先頭から参照する。そして、フレーム判定部２０は、当該フレーム判定部２０を備えるネットワーク中継機器１が直接に接続されているネットワークとは異なる規格の他のネットワークを構成する外部のネットワーク中継機器からのフレームに含まれるプロトコル識別子としてのイーサタイプを参照して、当該フレームがネットワークの運用、管理、又は保守用の確認フレームとしてのイーサネット（登録商標）ＯＡＭフレームを含むか否かを判定する。更に、フレーム判定部２０は、当該フレームが当該フレーム判定部２０を備えるネットワーク中継機器１宛てであるか否かを判断する。具体的に、フレーム判定部２０は、参照した内容に基づいて、以下のように機能する。
【００３１】
まず、フレーム判定部２０は、フレームのＩ−ＴＡＧ領域の存在を確認して、当該フレームがＩＥＥＥ８０２．１ａｈのフレーム形式のフレームであるか否かを判定する。そして、フレーム判定部２０は、当該フレームがＩＥＥＥ８０２．１ａｈのフレーム形式のフレームであると判定した場合、フレームに含まれるプロトコル識別子としてのイーサタイプ（ＥｔｈｅｒＴｙｐｅ）を参照する。次に、フレーム判定部２０は、イーサタイプにイーサネット（登録商標）ＯＡＭであることを示す識別値が格納されている場合、宛先ＭＡＣアドレス（ＳＡ  ＭＡＣアドレス）を参照する。そして、当該宛先ＭＡＣアドレスが当該フレーム判定部２０を備えるネットワーク中継機器１のＭＡＣアドレスと同一である場合、当該フレームをＯＡＭ処理部３０に供給する。
【００３２】
一方、フレーム判定部２０は、当該宛先ＭＡＣアドレスが当該フレーム判定部２０を備えるネットワーク中継機器１のＭＡＣアドレスと異なる場合、通常のフレーム判定を実施して当該フレームを転送処理部４０に供給する。
【００３３】
また、フレーム判定部２０は、イーサタイプの領域の存在を確認して、当該フレームがＩＥＥＥ８０２．１ａｄのフレーム形式のフレームであると判定した場合、通常のフレーム判定を実施して当該フレームを転送処理部４０に供給する。
【００３４】
ここで、本実施の形態に係るフレーム判定部２０が実施する「通常のフレーム判定」について説明する。フレーム判定部２０が実施する通常のフレーム判定は、送信元学習と宛先検索とを含む。
【００３５】
（送信元学習）
フレーム判定部２０は、フレームの送信元情報（例えば、ＩＥＥＥ８０２．１ａｄのフレーム形式のフレームの場合、ＳＡ  ＭＡＣアドレスであり、ＩＥＥＥ８０２．１ａｈのフレーム形式のフレームの場合、ＳＡ  Ｂ−ＭＡＣアドレスである）と、ＶＬＡＮ＿ＩＤとを、当該フレームを受信したポートに対応付けてＦＤＢ５０に登録する。
【００３６】
（宛先検索）
フレーム判定部２０は、フレームの宛先情報（例えば、ＩＥＥＥ８０２．１ａｄのフレーム形式のフレームの場合、ＤＡ  ＭＡＣアドレスであり、ＩＥＥＥ８０２．１ａｈのフレーム形式のフレームの場合、ＤＡ  Ｂ−ＭＡＣアドレスである）、及びＶＬＡＮ＿ＩＤによりＦＤＢ５０を検索して、当該宛先情報及びＶＬＡＮ＿ＩＤに対応付けられたポートを検索する。そして、フレーム判定部２０は、検出したポートを転送先のポートであると判定して、当該転送先のポートに宛ててフレームを転送処理部４０に供給する。なお、フレーム判定部２０は、ＦＤＢ５０にポート識別子が格納されていない場合には、フラッディングとして当該フレームを転送処理部４０に供給する。
【００３７】
（ＯＡＭ処理部３０）
処理部としてのＯＡＭ処理部３０は、フレーム判定部２０から受け取ったフレームのデータ領域のＯｐ  ｃｏｄｅ及び他の内容を参照して、参照した内容で規定される機能に応じた処理（例えば、イーサネット（登録商標）ＯＡＭの機能に基づいた運用、管理又は保守の処理）をフレームに施す。例えば、ＯＡＭ処理部３０は、参照した内容で規定される機能がＬｏｏｐ  Ｂａｃｋ  Ｍｅｓｓａｇｅ（ＬＢＭ）、Ｌｉｎｋ  Ｔｒａｃｅ  Ｍｅｓｓａｇｅ（ＬＴＭ）、Ｌｏｓｓ  Ｍｅａｓｕｒｅｍｅｎｔ  Ｍｅｓｓａｇｅ（ＬＭＭ）等である場合、ＬＢＭをＬｏｏｐ  Ｂａｃｋ  Ｒｅｐｌｙ（ＬＢＲ）に、ＬＴＭをＬｉｎｋ  Ｔｒａｃｅ  Ｒｅｐｌｙ（ＬＴＲ）に、ＬＭＭをＬｏｓｓ  Ｍｅａｓｕｒｅｍｅｎｔ  Ｒｅｐｌｙ（ＬＭＲ）に変換する。
【００３８】
そして、ＯＡＭ処理部３０は、ＬＢＲ、ＬＴＲ、又はＬＭＲを送受信部１０のフレームを受信したポートへ供給する。この場合においてＯＡＭ処理部３０は、ＩＥＥＥ８０２．１ａｈのフレーム形式のフレームの宛先Ｂ−ＭＡＣアドレスと送信元Ｂ−ＭＡＣアドレスとを置き換えて変換すると共に、宛先ＭＡＣアドレスと送信元ＭＡＣアドレスとを置き換えて変換する。更に、ＯＡＭ処理部３０は、Ｏｐ  ｃｏｄｅも変換する。この他、ＯＡＭ処理部３０は、参照した内容で規定される機能がＣｏｎｔｉｎｕｉｔｙ  Ｃｈｅｃｋ  Ｍｅｓｓａｇｅ（ＣＣＭ）等である場合、フレームをソフトウェアで制御される中央処理部６０に供給する。
【００３９】
また、ＯＡＭ処理部３０は、フレーム判定部２０から受け取ったフレームのデータ領域のＯｐ  ｃｏｄｅ及び他の内容を参照して、参照した内容で規定される機能がＬＢＭ、ＬＴＭ、ＬＭＭ等である場合、ＬＢＭ、ＬＴＭ、ＬＭＭをＬＢＲ、ＬＴＲ、ＬＭＲに変換する代わりに、ＬＢＲ、ＬＴＲ、ＬＭＲを新たに作成することもできる。更に、ＯＡＭ処理部３０は、ＬＢＭ、ＬＴＭ、ＬＭＭをそれぞれＬＢＲ、ＬＴＲ、ＬＭＲに変換する機能と、ＬＢＲ、ＬＴＲ、ＬＭＲを新たに作成する機能とを併せ持つこともできる。
【００４０】
なお、フレーム判定部２０及びＯＡＭ処理部３０は、Ａｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）、Ｆｉｅｌｄ  Ｐｒｏｇｒａｍｍａｂｌｅ  Ｇａｔｅ  Ａｒｒａｙ（ＦＰＧＡ）等の集積回路、すなわち、ハードウェアで構成することができる。また、フレーム判定部２０及びＯＡＭ処理部３０を、ソフトウェアで実装することもできる。
【００４１】
（転送処理部４０）
転送処理部４０は、フレーム判定部２０から転送先のポートを指定して情報（すなわち、転送先のポート識別子及びフレーム）が供給された場合、当該ポート識別子で識別されるポートにフレームを転送する。また、転送処理部４０は、フレーム判定部２０からフラッディングとして情報を供給された場合には、当該情報を受信したポートを除くすべてのポートへ情報を転送する。
【００４２】
（中央制御部６０）
中央制御部６０は、ソフトウェアを搭載しており、当該ソフトウェアによりネットワーク中継機器１が備える各部材（例えば、フレーム判定部２０、ＯＡＭ処理部３０、転送処理部４０、及びＦＤＢ５０）の動作を制御する。
【００４３】
図５は、本発明の本実施の形態に係るイーサネット（登録商標）ＯＡＭの機能を説明するネットワークの概要を示す。
【００４４】
図５においては、一例として、Ｌｏｏｐ  Ｂａｃｋ（ＬＢ：ループバック）の動作を説明する。ネットワーク中継機器１ａ乃至ネットワーク中継機器１ｄはそれぞれ、イーサネット（登録商標）ＯＡＭの機能が実装されている。そして、ネットワーク中継機器１ａ乃至ネットワーク中継機器１ｄはそれぞれ、例えば、レイヤー２のスイッチングハブであり、ＩＥＥＥ８０２．１ａｄのフレーム形式のフレームを中継する機能を有する。そして、図５においては、ネットワーク中継機器１ａを始端Ｍａｉｎｔｅｎａｎｃｅ  Ｅｎｄ  Ｐｏｉｎｔ（ＭＥＰ：管理端点）に、ネットワーク中継機器１ｄを終端ＭＥＰに設定すると共に、ネットワーク中継機器１ｂ及びネットワーク中継機器１ｃをＭａｉｎｔｅｎａｎｃｅ  Ｉｎｔｅｒｍｅｄｉａｔｅ  Ｐｏｉｎｔ（ＭＩＰ：管理中継点）に設定している。
【００４５】
まず、ネットワーク中継機器１ａからＬＢＭフレームをネットワーク中継機器１ｄに宛てて送信する。例えば、ネットワーク中継機器１ａは、伝送路７０ａを介してＬＢＭフレームを送信する。ＬＢＭフレームは、図２において説明したフレーム形式を有するフレームであり、ＤＡにネットワーク中継機器１ｄのＭＡＣアドレスが、ＳＡにネットワーク中継機器１ａ自身のＭＡＣアドレスが、ＥｔｈｅｒＴｙｐｅにイーサネット（登録商標）ＯＡＭの識別値が、そして、Ｏｐ  ｃｏｄｅにＬＢＭを示す値「０３」が格納されている。
【００４６】
次に、ＬＢＭフレームを受信したネットワーク中継機器１ｂは伝送路７０ｂを介して、ネットワーク中継機器１ｃは伝送路７０ｃを介してＬＢＭフレームをネットワーク中継機器１ｄへ中継する。
【００４７】
ＬＢＭフレームを受信したネットワーク中継機器１ｄのフレーム判定部２０は、当該ＬＢＭフレームがネットワーク中継機器１ｄ自身宛てのＬＢＭフレームであるか否かを判定する。そして、当該ＬＢＭフレームがネットワーク中継機器１宛てであるとフレーム判定部２０が判定した場合、ＯＡＭ処理部３０は、ＬＢＭフレームをネットワーク中継機器１ａ宛てのＬＢＲフレームに変換する。そして、ＯＡＭ処理部３０は、ＬＢＲフレームをネットワーク中継機器１ａに宛てて送受信部１０から送信させる。なお、ＬＢＲフレームは、ＬＢＭフレームの内容を、ＤＡをネットワーク中継機器１ａのＭＡＣアドレスに書き換え、ＳＡをネットワーク中継機器１ｄ自身のＭＡＣアドレスに書き換え、そして、Ｏｐ  ｃｏｄｅをＬＢＲを示す値「０２」に書き換えて変換したフレームである。
【００４８】
ネットワーク中継機器１ｂ及びネットワーク中継機器１ｃは、ＬＢＲフレームをネットワーク中継機器１ａに中継する。ＬＢＲフレームを受信したネットワーク中継機器１ａのフレーム判定部２０は、このＬＢＲフレームがネットワーク中継機器１ｄから返信されたＬＢＲフレームであることを判定する。これにより、ネットワーク中継機器１ａとネットワーク中継機器１ｄとの間の経路の接続が確認される。
【００４９】
図６は、ＩＥＥＥ８０２．１ａｈ網の構成の概要を示す。
【００５０】
以下の説明において、ＩＥＥＥ８０２．１ａｈによるネットワークを「８０２．１ａｈ網」と、ＩＥＥＥ８０２．１ａｄによるネットワークを「８０２．１ａｄ網」と称する。
【００５１】
ネットワーク中継機器２及びネットワーク中継機器７は、ＩＥＥＥ８０２．１ａｄのフレーム形式のフレームを中継するネットワーク中継機器である。また、ネットワーク中継機器３及びネットワーク中継機器６は、ＩＥＥＥ８０２．１ａｄのフレーム形式のフレームをカプセル化してＩＥＥＥ８０２．１ａｈのフレーム形式のフレームにして８０２．１ａｈ網に中継するか、あるいはＩＥＥＥ８０２．１ａｈのフレーム形式のフレームをデカプセル化してＩＥＥＥ８０２．１ａｄのフレーム形式のフレームにして８０２．１ａｄ網に中継するネットワーク中継機器（例えば、ＰＢＢエッジスイッチ）である。そして、ネットワーク中継機器４及びネットワーク中継機器５は、ＩＥＥＥ８０２．１ａｈのフレーム形式のフレームを中継するネットワーク中継機器（例えば、ＰＢＢコアスイッチ）である。
【００５２】
ネットワーク中継機器２からネットワーク中継機器７に情報を送信する場合、ネットワーク中継機器２からネットワーク中継機器７宛てに、宛先ＭＡＣアドレスをネットワーク中継機器７のＭＡＣアドレスにしたＩＥＥＥ８０２．１ａｄのフレーム形式のフレームが送信される。８０２．１ａｄ網８０ａにおいて、宛先ＭＡＣアドレスに基づいてＩＥＥＥ８０２．１ａｄのフレーム形式のフレームはネットワーク中継機器３へと中継される。図６においては、一例として、伝送路７１を介してネットワーク中継機器３へと中継される。
【００５３】
ネットワーク中継機器３は、ネットワーク中継機器２からのＩＥＥＥ８０２．１ａｄのフレーム形式のフレームを受信して、当該ＩＥＥＥ８０２．１ａｄのフレーム形式のフレームをカプセル化することによりＩＥＥＥ８０２．１ａｈのフレーム形式のフレームを生成する。そして、ネットワーク中継機器３は、当該ＩＥＥＥ８０２．１ａｈのフレーム形式のフレームを８０２．１ａｈ網８２に中継する。ネットワーク中継機器４及びネットワーク中継機器５は、このＩＥＥＥ８０２．１ａｈのフレーム形式のフレームを中継する。図６においては、ネットワーク中継機器３からネットワーク中継機器４には伝送路７３を介して、ネットワーク中継機器４からネットワーク中継機器５には伝送路７５を介して、ネットワーク中継機器５からネットワーク中継機器６には伝送路７７を介してＩＥＥＥ８０２．１ａｈのフレーム形式のフレームが中継される。
【００５４】
８０２．１ａｈ網８２では、ＰＢＢエッジスイッチであるネットワーク中継機器３において付加された宛先Ｂ−ＭＡＣアドレスに基づいてＩＥＥＥ８０２．１ａｈのフレーム形式のフレームが中継される。ネットワーク中継機器６は、ＩＥＥＥ８０２．１ａｈのフレーム形式のフレームを受信して、受信したＩＥＥＥ８０２．１ａｈのフレーム形式のフレームをデカプセル化することによりＩＥＥＥ８０２．１ａｄのフレーム形式のフレームを取り出す。そして、ネットワーク中継機器６は、当該ＩＥＥＥ８０２．１ａｄのフレーム形式のフレームを８０２．１ａｄ網８０ｂに中継する。このＩＥＥＥ８０２．１ａｄのフレーム形式のフレームは、宛先ＭＡＣアドレスに基づいてネットワーク中継機器７に中継される。図６においては、ネットワーク中継機器６からネットワーク中継機器７に伝送路７９を介してＩＥＥＥ８０２．１ａｄのフレーム形式のフレームが中継される。
【００５５】
図７は、本発明の実施の形態に係るネットワークの概要を示す。
【００５６】
第１のネットワーク中継機器としてのネットワーク中継機器２は、第１のネットワークとしての８０２．１ａｄ網８０ａに配置されており、ＩＥＥＥ８０２．１ａｄのフレーム形式のフレームを中継するネットワーク中継機器である。また、第３のネットワーク中継機器としてのネットワーク中継機器３は、８０２．１ａｄ網８０ａと８０２．１ａｈ網８２との境界に配置される。そして、ネットワーク中継機器３は、ＩＥＥＥ８０２．１ａｄのフレーム形式のフレームをカプセル化してＩＥＥＥ８０２．１ａｈのフレーム形式のフレームにして８０２．１ａｈ網８２に中継するか、あるいは、ＩＥＥＥ８０２．１ａｈのフレーム形式のフレームをデカプセル化してＩＥＥＥ８０２．１ａｄのフレーム形式のフレームにして８０２．１ａｄ網に中継するネットワーク中継機器（すなわち、ＰＢＢエッジスイッチ）である。
【００５７】
そして、ネットワーク中継機器４、及び第２のネットワーク中継機器としてのネットワーク中継機器１は第２のネットワークとしての８０２．１ａｈ網８２に配置され、ＩＥＥＥ８０２．１ａｈのフレーム形式のフレームを中継するネットワーク中継機器（すなわち、ＰＢＢコアスイッチ）である。このようなネットワークは、８０２．１ａｄ網内に配置されるネットワーク中継機器２が始端ＭＥＰに、８０２．１ａｈ網内に配置されるネットワーク中継機器１が終端ＭＥＰに設定されており、ネットワーク中継機器２とネットワーク中継機器１との間の経路がイーサネット（登録商標）ＯＡＭにより保守運用される構成のネットワークである。
【００５８】
なお、ネットワーク中継機器２にはイーサネット（登録商標）ＯＡＭ機能が実装されており、ネットワークの運用、管理、又は保守用の確認フレームとしてのイーサネット（登録商標）ＯＡＭフレームを生成するイーサネット（登録商標）ＯＡＭフレーム生成部と、受信したフレームがイーサネット（登録商標）ＯＡＭフレームであるか否かを判定するフレーム判定部と、イーサネット（登録商標）ＯＡＭフレームの内容に応じて、フレームの中継、又はフレームの内容を変換して返信する処理部とを少なくとも備える。なお、ネットワーク中継機器３は、ネットワーク中継機器２からイーサネット（登録商標）ＯＡＭフレームを受信した場合、当該イーサネット（登録商標）ＯＡＭフレームをカプセル化してカプセル化確認フレームとしてのカプセル化されたイーサネット（登録商標）ＯＡＭフレームを８０２．１ａｈ網８２に中継する。
【００５９】
（ネットワーク保守運用方法）
図８Ａ及び図８Ｂは、本実施の形態に係るネットワーク保守運用方法の流れの一例を示す。
【００６０】
本実施の形態では、図７に示すネットワークを参照すると共に、イーサネット（登録商標）ＯＡＭの機能のうちのＬｏｏｐ  Ｂａｃｋ（ＬＢ：ループバック）の動作を例に挙げ、ネットワーク保守運用方法の一例を説明する。なお、確認フレームとしてのイーサネット（登録商標）ＯＡＭフレームには、ＬＢフレーム（すなわち、ＬＢＭ）の他に、ＣＣフレーム（すなわち、ＣＣＭ）、ＬＢフレーム（すなわち、ＬＢＭ）、及びＬＴフレーム（すなわち、ＬＴＭ）等がある。
【００６１】
まず、８０２．１ａｄ網８０ａ内に配置されるネットワーク中継機器２は、８０２．１ａｈ網内に配置されるネットワーク中継機器１宛てのＬＢＭを作成してネットワーク中継機器１宛てに送信する（送信段階：ステップ１０。以下、ステップを「Ｓ」と表す）。ＬＢＭは、宛先ＭＡＣアドレスとしてのネットワーク中継機器１のＭＡＣアドレスと、送信元ＭＡＣアドレスとしてのネットワーク中継機器２のＭＡＣアドレスとの双方を格納する。
【００６２】
ＬＢＭは、宛先ＭＡＣアドレスに基づいて８０２．１ａｄ網８０ａ内を中継され、エッジスイッチとしてのネットワーク中継機器３に到達する。ネットワーク中継機器３は、受信したＬＢＭをカプセル化する（カプセル化段階：Ｓ２０）。そして、ネットワーク中継機器３は、カプセル化したＬＢＭ（以下、「カプセル化ＬＢＭ」という）を８０２．１ａｈ網８２に中継する（中継段階：Ｓ３０）。カプセル化ＬＢＭは、宛先Ｂ−ＭＡＣアドレスにネットワーク中継機器１のＭＡＣアドレスが格納されると共に、送信元Ｂ−ＭＡＣアドレスにネットワーク中継機器３のＭＡＣアドレスが格納される。なお、ネットワーク中継機器３のＦＤＢにネットワーク中継機器１のＭＡＣアドレスが登録されていない場合には、宛先Ｂ−ＭＡＣアドレスにフラッディングの値が格納される。カプセル化ＬＢＭは、宛先Ｂ−ＭＡＣアドレスに基づいて８０２．１ａｈ網８２内を中継され、ネットワーク中継機器１に到達する。
【００６３】
ネットワーク中継機器１はカプセル化ＬＢＭを受信して、ＯＡＭ処理を実行する（Ｓ４０）。具体的には、まず、ネットワーク中継機器１の送受信部１０がカプセル化ＬＢＭを受信する（受信段階：Ｓ４００）。送受信部１０は、受信したカプセル化ＬＢＭをフレーム判定部２０に供給する。フレーム判定部２０は、受け取ったカプセル化ＬＢＭの内容を参照して、イーサタイプから当該カプセル化ＬＢＭがイーサネット（登録商標）ＯＡＭであり、かつ、宛先ＭＡＣアドレスから自分宛てであるか否かを判定する（判定段階：Ｓ４１０）。
【００６４】
フレーム判定部２０が、当該カプセル化ＬＢＭがイーサネット（登録商標）ＯＡＭであり、かつ、宛先ＭＡＣアドレスから自分宛てであると判定した場合（Ｓ４１０：Ｙ）、フレーム判定部２０は、当該カプセル化ＬＢＭをＯＡＭ処理部３０に供給する。なお、ＩＥＥＥ８０２．１ａｈの規格において、コアスイッチ（すなわち、本実施の形態に係るネットワーク中継機器１）は、Ｂ−ＭＡＣアドレスが自分宛てのフレームは廃棄することになっている。しかしながら、本実施の形態に係るネットワーク中継機器１は、イーサネット（登録商標）ＯＡＭフレームのＢ−ＭＡＣアドレスが自分宛てのフレームである場合でも、イーサネット（登録商標）ＯＡＭフレームが自分宛てのイーサネット（登録商標）ＯＡＭフレームであると判定した場合には、当該イーサネット（登録商標）ＯＡＭフレームを廃棄せずに処理を続行する。そして、フレーム判定部２０が、当該カプセル化ＬＢＭがイーサネット（登録商標）ＯＡＭでなく、又は、宛先ＭＡＣアドレスから自分宛てでないと判定した場合（Ｓ４１０：Ｎ）、フレーム判定部２０は、当該カプセル化ＬＢＭを転送する（転送段階：Ｓ４４０）。
【００６５】
ＯＡＭ処理部３０は、Ｏｐ  ｃｏｄｅから受け取ったフレームがカプセル化ＬＢＭであるか否かを判定する。そして、ＯＡＭ処理部３０は、当該フレームがカプセル化ＬＢＭであると判定した場合、イーサネット（登録商標）ＯＡＭの機能に基づいて、カプセル化ＬＢＭをカプセル化応答フレームとしての返信用のカプセル化ＬＢＲに変換する（変換段階：Ｓ４２０）。カプセル化ＬＢＲは、カプセル化ＬＢＭの宛先Ｂ−ＭＡＣアドレスと送信元Ｂ−ＭＡＣアドレスとを置き換えて、宛先Ｂ−ＭＡＣアドレスにネットワーク中継機器３のＭＡＣアドレスを格納すると共に、送信元Ｂ−ＭＡＣアドレスにネットワーク中継機器１自身のＭＡＣアドレスを格納する。また同時に、ＯＡＭ処理部３０は、ＬＢＭの宛先ＭＡＣアドレスと送信元ＭＡＣアドレスとを置き換えて、宛先ＭＡＣアドレスに８０２．１ａｄスイッチとしてのネットワーク中継機器２のＭＡＣアドレスを格納すると共に、送信元ＭＡＣアドレスにネットワーク中継機器１自身のＭＡＣアドレスを格納する。そして、ＯＡＭ処理部３０は、カプセル化ＬＢＲを送受信部１０に供給する。
【００６６】
送受信部１０は、カプセル化ＬＢＲの宛先Ｂ−ＭＡＣアドレスに基づいてカプセル化ＬＢＲを転送する（転送段階：Ｓ４３０）。カプセル化ＬＢＲは、宛先Ｂ−ＭＡＣアドレスに基づいて８０２．１ａｈ網８２内を中継されて（Ｓ５０）、ネットワーク中継機器３に到達する。ネットワーク中継機器３は、受信したカプセル化ＬＢＲをデカプセル化して（Ｓ６０）、デカプセル化により得られたＬＢＲを、８０２．１ａｄ網８０ａに中継する（Ｓ７０）。ＬＢＲは、宛先ＭＡＣアドレスに基づいて８０２．１ａｄ網８０ａ内を中継されてネットワーク中継機器１に到達する。これにより、８０２．１ａｄ網８０ａに配置されたネットワーク中継機器２と８０２．１ａｈ網８２内に配置されたネットワーク中継機器１との間の経路の接続が確認できる（Ｓ８０）。
【００６７】
（比較例）
図９は、比較例に係るネットワークの概要を示す。
【００６８】
比較例に係るネットワークにおいては、８０２．１ａｈ網８２内に本実施の形態に係るネットワーク中継機器１の代わりに、本実施の形態に係るネットワーク中継機器１の機能を備えていないネットワーク中継機器５が用いられている。
【００６９】
まず、ネットワーク中継機器２は、宛先ＭＡＣアドレスをネットワーク中継機器５のＭＡＣアドレスにして、送信元ＭＡＣアドレスをネットワーク中継機器２のＭＡＣアドレスにしたＬＢＭを送信する。ネットワーク中継機器３は、受信したＬＢＭをカプセル化してカプセル化ＬＢＭを生成する。そして、ネットワーク中継機器３は、８０２．１ａｈ網８２にカプセル化ＬＢＭを中継する。
【００７０】
この場合において、ネットワーク中継機器３のＦＤＢにネットワーク中継機器５のＭＡＣアドレスが登録されていない場合、ネットワーク中継機器３は、カプセル化ＬＢＭの宛先Ｂ−ＭＡＣアドレスにブロードキャストの値を格納する。一方、当該ＦＤＢにネットワーク中継機器５のＭＡＣアドレスが登録されている場合、ネットワーク中継機器３は、カプセル化ＬＢＭの宛先Ｂ−ＭＡＣアドレスにネットワーク中継機器５のＭＡＣアドレスを格納する。
【００７１】
続いて、カプセル化ＬＢＭを受信したネットワーク中継機器５は、カプセル化ＬＢＭの宛先Ｂ−ＭＡＣアドレスを参照して、ブロードキャストの値が格納されていると判定した場合には、当該カプセル化ＬＢＭをそのまま中継、又は廃棄する。一方、ネットワーク中継機器５は、宛先Ｂ−ＭＡＣアドレスを参照して、ネットワーク中継機器５のＭＡＣアドレスが格納されていると判定した場合には、ＩＥＥＥ８０２．１ａｈの規格ではコアスイッチはＢ−ＭＡＣアドレスが自分宛てのフレームは廃棄することになっているので廃棄する。したがって、ネットワーク中継機器５はカプセル化ＬＢＭを自分宛てのＬＢＭであると判定できないので、比較例においてはイーサネット（登録商標）ＯＡＭは機能しない。
【００７２】
すなわち、比較例においては、８０２．１ａｄ網８０と８０２．１ａｈ網８２とを備えるネットワークにおいて、８０２．１ａｄ網８０に始端ＭＥＰ（すなわち、ネットワーク中継機器２）が設置され、８０２．１ａｈ網８２に終端ＭＥＰ（すなわち、ネットワーク中継機器５）が設置されている場合には、ネットワーク中継機器２からネットワーク中継機器５に宛てたイーサネット（登録商標）ＯＡＭフレームがカプセル化されてしまうので、ネットワーク中継機器５に対してイーサネット（登録商標）ＯＡＭを適用することができない。
【００７３】
（実施の形態の効果）
本実施の形態に係るネットワーク中継機器１は、カプセル化されたフレームを受信した場合であっても、カプセル化されたフレームにイーサネット（登録商標）ＯＡＭフレームが含まれているか否かを判定して、イーサネット（登録商標）ＯＡＭフレームが含まれている場合にイーサネット（登録商標）ＯＡＭを機能させることができる。これにより、本実施の形態に係るネットワーク中継機器１は、例えば、ネットワークが８０２．１ａｄ網と８０２．１ａｈ網とにまたがる構成を備えている場合であって、ネットワークの経路の途中でイーサネット（登録商標）ＯＡＭのフレームがカプセル化される場合であっても、イーサネット（登録商標）ＯＡＭを適用することができる。
【００７４】
すなわち、本実施の形態に係るネットワーク中継機器１は、８０２．１ａｄ網に始端ＭＥＰが、８０２．１ａｈ網に終端ＭＥＰが設置されているような、ネットワークの経路の途中でイーサネット（登録商標）ＯＡＭのフレームがカプセル化されるような構成であっても、イーサネット（登録商標）ＯＡＭを適用することができる。したがって、本実施の形態に係るネットワーク中継機器１によれば、８０２．１ａｄ網内に配置されたネットワーク中継機器から、８０２．１ａｈ網内に配置されたネットワーク中継機器１を、イーサネット（登録商標）ＯＡＭを用いて保守運用することができる。
【００７５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００７６】
１、１ａ、１ｂ、１ｃ、１ｄ  ネットワーク中継機器
２、３、４、５、６、７  ネットワーク中継機器
１０  送受信部
２０  フレーム判定部
３０  ＯＡＭ処理部
４０  転送処理部
５０  ＦＤＢ
６０  中央制御部
７０、７０ａ、７０ｂ、７０ｃ、７０ｎ  伝送路
７１、７３、７５、７６、７７、７９  伝送路
８０、８０ａ、８０ｂ  ８０２．１ａｄ網
８２  ８０２．１ａｈ網
１００、１００ｎ  ポート
【図１】
2010263373.tif 000003
【図２】
2010263373.tif 000004
【図３】
2010263373.tif 000005
【図４】
2010263373.tif 000006
【図５】
2010263373.tif 000007
【図６】
2010263373.tif 000008
【図７】
2010263373.tif 000009
【図８Ａ】
2010263373.tif 000010
【図８Ｂ】
2010263373.tif 000011
【図９】
2010263373.tif 000012